(57)【要約】【課題】メーカを含め各流通部門での補修部品の廃却量を削減することができる補修部品の取引方法を供する。【解決手段】メーカが補修部品を対象にした補修部品取引サイトをインターネット上に主催し、メーカにより予め認定されたディストリビュータとディーラが前記補修部品取引サイトにアクセスし補修部品取引に売手または買手として参加し、メーカも同補修部品取引に売手として参加し、売手は補修部品の特定情報，希望売値，数量，回答期限日，売手情報等の売り情報をアップロードして該補修部品取引に出品し、買手は該補修部品取引サイトにアクセスして出品物件を閲覧して希望補修部品を選択して買値、数量、買手情報等の買い情報をアップロードし、売手は回答期限日までにアップロードされた複数の買手の買い情報を比較検討して買手を選択し取引する補修部品の取引方法。【選択図】　図３
2004062562.tif 000002
【特許請求の範囲】
【請求項１】
メーカが補修部品を対象にした補修部品取引サイトをインターネット上に主催し、
メーカにより予め認定されたディストリビュータとディーラが前記補修部品取引サイトにアクセスし補修部品取引に売手または買手として参加し、
メーカも同補修部品取引に売手として参加し、
売手は補修部品の特定情報，希望売値，数量，回答期限日，売手情報等の売り情報をアップロードして該補修部品取引に出品し、
買手は該補修部品取引サイトにアクセスして出品物件を閲覧して希望補修部品を選択して買値、数量、買手情報等の買い情報をアップロードし、
売手は回答期限日までにアップロードされた複数の買手の買い情報を比較検討して買手を選択し取引することを特徴とする補修部品の取引方法。
【請求項２】
前記ディストリビュータとディーラは、前記補修部品取引サイトにアクセスしユーザ名とパスワードの入力によりログインして該補修部品取引に参加することを特徴とする請求項１記載の補修部品の取引方法。
【請求項３】
前記メーカが指定した旧型補修部品を前記補修部品取引の対象とし、指定された旧型補修部品以外の補修部品は出品不能とされることを特徴とする請求項１または請求項２記載の補修部品の取引方法。
【請求項４】
回答期限日までに取引が成立しなかった売り物件は、自動的に削除され出品取消しとされることを特徴とする請求項１から請求項３のいずれかの項記載の補修部品の取引方法。
【請求項５】
回答期限日までに取引が成立しなかった補修部品について、その売り手は、希望売値および回答期限日を変更して新たな出品物件として該補修部品取引に出品することができることを特徴とする請求項４記載の補修部品の取引方法。
【請求項６】
前記買手が前記補修部品取引サイトにアクセスして出品物件を閲覧して希望補修部品がないときは、
前記買手が前記売り物件にない希望補修部品の特定情報，希望買値，数量，希望購入日および少なくともメールアドレスを含む買手情報等の買い情報をアップロードできることを特徴とする請求項１から請求項３のいずれかの項記載の補修部品の取引方法。
【発明の詳細な説明】
【０００１】
【発明の属する技術分野】
本発明は、インターネットを利用した補修部品の取引方法に関する。
【０００２】
【従来の技術】
部品や材料から組立て・加工して製品を製造する製造業の場合、製品のほかその部品も補修商品として販売され、海外においてはディストリビュータ（配給卸し業者）やディーラ（直営販売店）がその補修部品の販売を行っている。
【０００３】
したがって補修部品の流通在庫は、メーカのみならず海外のディストリビュータおよびディーラに存在する。
そして補修部品の在庫は、製品の年代によって古いものほど少なくなるが、需要予測とのズレからデッドストックになりがちである。
【０００４】
デッドストックになった補修部品は、各流通部門で独自に判断して、いずれ廃却される。
メーカでは、定期的に行う廃却の前に下流のディストリビュータに購入を打診し、売却時にはディスカウント等のメリットを与えるなどしている。
【０００５】
【発明が解決しようとする課題】
しかし流通の上流にあるメーカほどデッドストックのリスクは大きく、廃却にも費用がかかるため、購入費と二重の負担となる。
メーカでは廃却費用を詰めるために、定期的に廃却が行われているが、廃却後数ヶ月後に注文があると、新規に購入するか、場合によっては断ることもある。
【０００６】
またディストリビュータやディーラにデッドストックされた補修部品については、別のところで需要があっても容易にその情報を掴むことができず無駄に廃却してしまうことがある。
【０００７】
本発明は、斯かる点に鑑みなされたもので、その目的とする処は、メーカを含め各流通部門での補修部品の廃却量を削減することができる補修部品の取引方法を供する点にある。
【０００８】
【課題を解決するための手段及び作用効果】
上記目的を達成するために、本請求項１記載の発明は、メーカが補修部品を対象にした補修部品取引サイトをインターネット上に主催し、メーカにより予め認定されたディストリビュータとディーラが前記補修部品取引サイトにアクセスし補修部品取引に売手または買手として参加し、メーカも同補修部品取引に売手として参加し、売手は補修部品の特定情報，希望売値，数量，回答期限日，売手情報等の売り情報をアップロードして該補修部品取引に出品し、買手は該補修部品取引サイトにアクセスして出品物件を閲覧して希望補修部品を選択して買値、数量、買手情報等の買い情報をアップロードし、売手は回答期限日までにアップロードされた複数の買手の買い情報を比較検討して買手を選択し取引する補修部品の取引方法とした。
【０００９】
メーカが補修部品を対象にした補修部品取引サイトをインターネット上に主催するので、メーカも含めディストリビュータやディーラは、同補修部品取引サイトにアクセスしてデッドストックになりそうな補修部品を出品して販売の機会を得ることができ、業者間で補修部品について取引を成立させ、メーカを含め各流通部門での補修部品の廃却量を削減することができる。
【００１０】
インターネットには、例えば特開２００１−２６５９６５号公報等に提案されているように種々のオークションサイトがあるが、オークションは最高値をつけた入札者に落札されるものであるが、本発明の取引は、オークションと異なり売手が複数の買手の買い情報を比較検討して買手を選択して取引するものであり、必ずしも最も高い買値をつけた買手が選択されるとは限らない。
【００１１】
請求項２記載の発明は、請求項１記載の補修部品の取引方法において、前記ディストリビュータとディーラは、前記補修部品取引サイトにアクセスしユーザ名とパスワードの入力によりログインして該補修部品取引に参加することを特徴とする。
【００１２】
該補修部品取引に参加することができる者を、メーカにより予め認定されたディストリビュータとディーラに容易に限定することができ、参加者を限定してブランドを維持するようにする。
なおメーカ自らは参加できる。
【００１３】
請求項３記載の発明は、請求項１または請求項２記載の補修部品の取引方法において、前記メーカが指定した旧型補修部品を前記補修部品取引の対象とし、指定された旧型補修部品以外の補修部品は出品不能とされることを特徴とする。
【００１４】
メーカが指定した旧型補修部品を前記補修部品取引の対象とすることで、デッドストックになりやすい旧型補修部品に限定し、業者間での値崩れを防止するとともに、通常の販売ルートでの取引を妨げることがないようにすることができる。
【００１５】
請求項４記載の発明は、請求項１から請求項３のいずれかの項記載の補修部品の取引方法において、回答期限日までに取引が成立しなかった売り物件は、自動的に削除され出品取消しとされることを特徴とする。
【００１６】
回答期限日までに取引が成立しなかった売り物件は、出品取消され自動的に削除されるので、混乱を避けることができる。
【００１７】
請求項５記載の発明は、請求項４記載の補修部品の取引方法において、回答期限日までに取引が成立しなかった補修部品について、その売り手は、希望売値および回答期限日を変更して新たな出品物件として該補修部品取引に出品することができることを特徴とする。
【００１８】
保管費が嵩んで廃却も考慮している補修部品などは、売値をさらに安くし場合によっては価格を０にしてでも処分したいことがあり、新たな安い売値に変更して出品できる。
【００１９】
請求項６記載の発明は、請求項１から請求項３のいずれかの項記載の補修部品の取引方法において、前記買手が前記補修部品取引サイトにアクセスして出品物件を閲覧して希望補修部品がないときは、前記買手が前記売り物件にない希望補修部品の特定情報，希望買値，数量，希望購入日および少なくともメールアドレスを含む買手情報等の買い情報をアップロードできることを特徴とする。
【００２０】
出品されていない補修部品について、買手が買い情報をアップロードすることができるので、広く売手を募って購入の機会を得ることができる。
【００２１】
【発明の実施の形態】
以下本発明に係る一実施の形態について図１ないし図１２に基づき説明する。本実施の形態に係る補修部品取引は、自動車の補修部品であって自動車のメーカ１が指定した旧型補修部品を対象にしている取引である。
【００２２】
自動車の補修部品の取引は、一般にメーカの部品事業部などが海外のディストリビュータやディーラからの注文を受け、受注補修部品を準備してディストリビュータやディーラに出荷する受発注取引方法によっている。
【００２３】
量産を終了した自動車に使用される補修部品については、需要数が経時的に減少するので、この傾向を考慮して各流通部門においてそれぞれ需要を予測して多少多めの在庫を確保している。
【００２４】
したがって旧型補修部品になると、デッドストックになりがちであり、そのままでは廃却となってしまう。
このようないずれ廃却とされると思われる旧型補修部品をメーカ１が指定して、通常の受発注取引方法と異なる本補修部品取引方法により販売するものである。
【００２５】
本補修部品取引方法は、メーカ１がインターネット上に補修部品取引サイトを主催してディストリビュータ２とディーラ３が同サイトにアクセスして補修部品取引に売手または買手として参加できるようにしたものである。
【００２６】
本補修部品取引におけるインターネット構成図を図１に示す。
メーカ１は企業のＬＡＮ環境下またはプロバイダーのＷｅｂサーバ１１に補修部品取引サイトを開設し、メーカ１の端末１ａにより同サイトを主催する。
【００２７】
各ディストリビュータ２やディーラ３は、各端末２ａ，３ａから各Ｗｅｂサーバ１２，１３を介して補修部品取引サイトにアクセスしてそのホームページを開くことができる。
【００２８】
この補修部品取引に参加できるディストリビュータ２およびディーラ３をメーカ１は予め認定しており、その認定された者にはユーザ名とパスワードが設定される。
【００２９】
したがって、認定されたディストリビュータ２およびディーラ３のみが、各自のユーザ名とパスワードの入力によりログインし、本補修部品取引に参加することができる。
【００３０】
このように本補修部品取引の参加者を限定することでメーカ１のブランドを維持するようにしている。
なお本補修部品取引には、メーカ１も参加する。
【００３１】
同補修部品取引サイトにアクセスしたときのトップページは、例えば図４に示すような画面である。
ユーザ名とパスワードを入力する欄があるので、ディストリビュータ２またはディーラ３は、自らのユーザ名とパスワードを同欄に入力し、「ログイン」ボタン２０をクリックすることで、ログインすることができる。
【００３２】
ログインすると本補修部品取引に参加でき、図５に示すような取引への参加形態を選択するログイン直後のページ画面が表示されるので、いずれかを選んで参加することになる。
図５に示すログイン直後のページ画面では、「出品」ボタン２１，「出品一覧」ボタン２２，「回答状況」ボタン２３，「出品外一覧」ボタン２４を備えている。
【００３３】
「出品」ボタン２１は売手として補修部品を出品する場合にクリックするボタンであり、「出品一覧」ボタン２２は買手として出品された補修部品一覧から希望する補修部品を選択して購入する場合にクリックするボタンであり、「回答状況」ボタン２３は売手が出品した補修部品について回答状況を見て買手を決める場合にクリックするボタンであり、「出品外一覧」ボタン２４は売手が出品した補修部品以外で買手が購入を希望する補修部品の一覧を見る場合にクリックするボタンである。
【００３４】
いま「出品」ボタン２１をクリックして補修部品を出品する場合の手順を図２のフローチャートに従って説明する。
なお売手として補修部品を出品できるのは、メーカ１が予め認定したディストリビュータ２およびディーラ３とともに、メーカ１自身も売手となり出品することができる。
【００３５】
まずログインして最初の図５に示す画面で「出品」ボタン２１をクリックすると（ステップ１）、図６に示すような出品入力画面が開く（ステップ２）。
【００３６】
そして出品しようとする補修部品の部品番号，部品名，数量，希望価格（ＦＯＢ価格），回答期限日を所定の欄に入力し、さらに出品者の名称，住所等の出品者情報を入力する（ステップ３）。
【００３７】
このとき出品する補修部品の機能には影響しないが、梱包材などにダメージがあるような場合は、そのイメージ写真を添付することができる。
そして「ＯＫ」ボタン２５をクリックすると（ステップ４）、入力された出品情報は本補修部品取引サイトにアップロードされる（ステップ５）。
【００３８】
出品できる補修部品は、メーカ１が指定した旧型補修部品に限定しており、出品しようとした補修部品がメーカ１が指定した旧型補修部品と一致するか否かが判別され（ステップ６）、一致していれば入力情報の確認画面となって確認後ログイン直後ページに戻るが（ステップ９）、一致していないと出品できない旨の警告画面が表示されて（ステップ８）ログイン直後ページに戻る（ステップ９）。
【００３９】
未だ大量に出回っている補修部品などを本補修部品取引に出品すると業者間で安売り状態となり値崩れを起こすことになるので、このような事態の生じるのを防止し、通常の販売ルートでの取引を妨げることがないように、メーカ１はデッドストックになりやすい旧型補修部品のみを指定して出品補修部品を限定している。
【００４０】
このようにしてデッドストックを心配していた旧型補修部品が本補修部品取引に出品される。
次に出品された補修部品の購入の際の手順を図３に示すフローチャートに従って説明する。
【００４１】
まず買手は図５のログイン直後のページ画面で「出品一覧」ボタン２２をクリックする（ステップ１１）。
すると図７に示すような売り物件が羅列された出品リスト画面が開く（ステップ１２）。
なお買手もログインできたディストリビュータ２またはディーラ３に限定される。
【００４２】
買手は、この出品リストを見て購入を希望する補修部品があれば、その補修部品の欄をクリックして同部品を選択し（ステップ１３）、希望する補修部品がない場合は「出品外」ボタン２６をクリックする（ステップ３１）。
【００４３】
部品を選択したときは、ステップ１３からステップ１４に進み、図８に示すような回答入力画面が開く（ステップ１４）。
回答入力画面には、選択した補修部品の情報が記載されており、買手は、希望購入価格（ＦＯＢ価格）および数量の買い情報を入力し（ステップ１５）、「ＯＫ」ボタン２７をクリックする（ステップ１６）。
【００４４】
すると回答情報は本補修部品取引サイトにアップロードされる（ステップ１７）。
なお買手の情報も回答情報に付随して自動的にアップロードされる。
こうして購入を希望する買手は対象補修部品の回答期限日までに回答情報を入力してアップロードする。
【００４５】
売手の方は、回答期限を過ぎたところで図５のログイン直後のページ画面で「回答状況」ボタン２３をクリックする（ステップ１８）。
すると図９に示すような当該補修部品についての回答状況画面が開く（ステップ１９）。
【００４６】
売手が出品した出品番号で特定される補修部品について何人かの買手が購入を希望している場合、回答状況画面にはその希望購入価格順に数量，パスワード、識別番号等の買い情報が羅列されている。
【００４７】
そして買い情報が入力された欄には、それぞれ「選択」ボタン３４が表示されており、売手は複数の買手の買い情報を比較検討していずれかの回答者を選び、該当する「選択」ボタン２８をクリックして買手を選択する（ステップ２０）。
【００４８】
すると図１０に示すような取引画面が開く（ステップ２１）ので、振込先などの取引方法を入力する（ステップ２２）。
そして同取引画面を選ばれた買手に対して電子メールとして送信する（ステップ２３）。
【００４９】
この電子メールを受信（ステップ２４）した買手は同取引画面を確認して取引が成立することになる。
【００５０】
このように本補修部品取引においては、オークションと異なり売手が複数の買手の買い情報を比較検討して買手を選択して取引するものであり、必ずしも最も高い買値をつけた買手が選択されるとは限らない。
【００５１】
例えば希望購入価格が最高値ではないが、出品した補修部品の数量が買手の購入数量と一致していたり、輸送方法や輸送距離などの条件がより適当な買手を選ぶことがある。
【００５２】
以上のように本補修部品取引によれば、メーカも含めディストリビュータやディーラは、デッドストックになりそうな旧型補修部品を出品して販売の機会を得ることができ、業者間でかかる旧型補修部品について取引を成立させ、メーカを含め各流通部門での補修部品の廃却量を削減することができる。
【００５３】
なお回答期限日までに取引が成立しなかった売り物件は、出品取消され自動的に削除されるようになっている。
したがっていつまでも期限切れの物件が残っていることによる混乱を避けることができる。
【００５４】
また回答期限日までに取引が成立しなかった補修部品について、その売り手は、希望売値および回答期限日を変更して新たな出品物件として該補修部品取引に出品することができる。
【００５５】
したがって保管費が嵩んで廃却も考慮している補修部品などは、売値をさらに安くし、場合によっては価格を０にしてでも処分したいことがあり、新たな安い売値に変更して出品することができる。
【００５６】
以上のほかに、本補修部品取引サイトでは、買手が希望する補修部品が売り物件として出品されていないときに、買い情報をアップロードして広く売手を募ることができる。
なおここでもメーカ１が指定した旧型補修部品以外の補修部品はアップロードできず警告が表示される。
【００５７】
すなわち図７の出品リスト画面で買手が「出品外」ボタン２６をクリックすると（ステップ３１）、図１１に示すような出品外希望部品入力画面が開く（ステップ３２）。
【００５８】
買い情報を入力して（ステップ３３）、「ＯＫ」ボタン２９をクリックすると（ステップ３４）、入力された買い情報は本補修部品取引サイトにアップロードされる（ステップ３５）。
【００５９】
一方売手の方は、図５のログイン直後のページ画面で「出品外一覧」ボタン２４をクリックすることで（ステップ３６）、図１２に示すような出品外の買手が希望する物件が羅列された出品外希望部品一覧画面が開く（ステップ３７）。
【００６０】
この一覧画面で売手が販売可能と判断される補修部品があれば、当該補修部品の欄のメールアドレスを選択して（ステップ３８）、マウスポイントを合わせてクリックすると当該買手に対して販売する用意がある旨の電子メールを直接送信することができる（ステップ３９）。
【００６１】
この電子メールを受信（ステップ４０）した買手は、送信者である売手と取引をすることになる。
【００６２】
このように本補修部品取引に出品されていない補修部品であっても、本補修部品取引サイトに買手が買い情報をアップロードして、広く売手を募って購入の機会を得ることができ、メーカを含め各流通部門での補修部品の廃却量を削減することに寄与することができる。
【図面の簡単な説明】
【図１】本発明の一実施の形態に係る補修部品取引におけるインターネット構成図である。
【図２】補修部品を出品する場合の手順を示したフローチャートである。
【図３】補修部品を購入する場合の手順を示したフローチャートである。
【図４】本補修部品取引サイトのトップページ画面の一例を示す図である。
【図５】ログイン直後のページ画面の一例を示す図である。
【図６】出品入力画面の一例を示す図である。
【図７】出品リスト画面の一例を示す図である。
【図８】回答入力画面の一例を示す図である。
【図９】回答状況画面の一例を示す図である。
【図１０】取引画面の一例を示す図である。
【図１１】出品外希望部品入力画面の一例を示す図である。
【図１２】出品外希望部品一覧画面の一例を示す図である。
【符号の説明】
１…メーカ、２…ディストリビュータ、３…ディーラ、１ａ，２ａ，３ａ…端末、１１，１２，１３…Ｗｅｂサーバ、２０…「ログイン」ボタン、２１…「出品」ボタン、２２…「出品一覧」ボタン、２３…「回答状況」ボタン、２４…「出品外一覧」ボタン、２５…「ＯＫ」ボタン、２６…「出品外」ボタン、２７…「ＯＫ」ボタン、２８…「選択」ボタン、２９…「ＯＫ」ボタン。
【図１】
2004062562.tif 000003
【図２】
2004062562.tif 000004
【図３】
2004062562.tif 000005
【図４】
2004062562.tif 000006
【図５】
2004062562.tif 000007
【図６】
2004062562.tif 000008
【図７】
2004062562.tif 000009
【図８】
2004062562.tif 000010
【図９】
2004062562.tif 000011
【図１０】
2004062562.tif 000012
【図１１】
2004062562.tif 000013
【図１２】
2004062562.tif 000014